(57)【特許請求の範囲】
【請求項１】
浴室に設けられる照明装置であって、
長手方向に延びて形成された透光開口部、及び前記透光開口部の長手方向の端部において前記透光開口部に繋がって形成された端部開口部を有する長尺状のケーシング部材と、
前記ケーシング部材の内部に配置される光源部と、
前記透光開口部を覆うように前記ケーシング部材に取り付けられる透光部材と、
前記端部開口部を塞ぐ端面板部、及び該端面板部に連続して形成され前記透光開口部における前記端部開口部側の一部を覆うように前記端面板部における前記ケーシング部材側の面から前記ケーシング部材側に前記ケーシング部材の長手方向に沿って延出する表面板部を有し、前記端部開口部に取り付けられる端部キャップ部材と、
前記透光部材と前記表面板部との間に配置され前記表面板部に面接触する板状部、及び該板状部における前記ケーシング部材の長手方向に沿う側縁から前記表面板部側に延出し該表面板部における前記ケーシング部材の長手方向に沿う側縁の外側に前記表面板部に沿って配置される一対の第１リブ部を有する止水部材と、を備える照明装置。
【請求項２】
前記止水部材は、
前記板状部における前記一対の第１リブ部をつなぐ側縁から前記表面板部側に延出し前記表面板部の延出端側に位置する側縁の外側に配置される第２リブ部を更に備える請求項１に記載の照明装置。
【請求項３】
前記止水部材は、
前記板状部における前記端部開口部側に位置する側縁から前記透光部材側に延出する第３リブ部を更に備える請求項１又は２に記載の照明装置。
【請求項４】
前記止水部材は、
前記第３リブ部から前記ケーシング部材の長手方向に向かって延び前記透光部材を挟み込む挟み込み部を更に備える請求項３に記載の照明装置。
【発明の詳細な説明】
【技術分野】
【０００１】
本発明は、浴室に設けられる照明装置に関する。
【背景技術】
【０００２】
従来、浴室に設けられる照明装置において、透光開口部と端部開口部とを有する長尺のケーシング部材と、ケーシング部材の内部に配置される光源部と、ケーシング部材の透光開口部を塞ぐようにケーシング部材に取り付けられる透光カバー（透光部材）と、ケーシング部材の端部開口部に取り付けられるサイドキャップ（端部キャップ部材）と、を備える照明装置が知られている（例えば、特許文献１参照）。
【先行技術文献】
【特許文献】
【０００３】
【特許文献１】特開２０１２−４８９２０号公報
【発明の概要】
【発明が解決しようとする課題】
【０００４】
特許文献１に記載のような照明装置においては、サイドキャップと透光カバーとの間の水密性を確保するために、サイドキャップと透光カバーとの間の隙間をシリコンにより封止することがある。サイドキャップと透光カバーとの間の隙間をシリコンにより封止するには、作業者による作業が必要となる。しかしながら、作業者のスキルによっては、サイドキャップと透光カバーとの間の水密性が確保されないことや、サイドキャップと透光カバーとの間において光源部からの光漏れが発生して見栄えが好ましくないことがある。
そのため、作業者のスキルによらず、簡易な構成で、サイドキャップ（端部キャップ部材）と透光カバー（透光部材）との間の水密性を確保しつつ、サイドキャップ（端部キャップ部材）と透光カバー（透光部材）との間における光源部からの光漏れを抑制できる照明装置が望まれる。
【０００５】
本発明は、簡易な構成で、ケーシング部材の透光開口部を覆うようにケーシング部材に取り付けられる透光部材とケーシング部材の端部開口部に取り付けられる端部キャップ部材との間の水密性を確保しつつ、透光部材と端部キャップ部材との間の光源部からの光漏れを抑制できる照明装置を提供することを目的とする。
【課題を解決するための手段】
【０００６】
本発明は、浴室に設けられる照明装置であって、長手方向に延びて形成された透光開口部、及び長手方向の端部に形成された端部開口部を有する長尺状のケーシング部材と、前記ケーシング部材の内部に配置される光源部と、前記透光開口部を覆うように前記ケーシング部材に取り付けられる透光部材と、前記端部開口部を塞ぐ端面板部、及び該端面板部に連続して形成され前記透光開口部における前記端部開口部側の一部を覆うように延出する表面板部を有し、前記端部開口部に取り付けられる端部キャップ部材と、前記透光部材と前記表面板部との間に配置される板状部、及び該板状部における前記ケーシング部材の長手方向に沿う側縁から前記表面板部側に延出し該表面板部における前記ケーシング部材の長手方向に沿う側縁の外側に配置される一対の第１リブ部を有する止水部材と、を備える照明装置に関する。
【０００７】
また、前記止水部材は、前記板状部における前記一対の第１リブ部をつなぐ側縁から前記表面板部側に延出し前記表面板部の延出端側に位置する側縁の外側に配置される第２リブ部を更に備えることが好ましい。
【０００８】
また、前記止水部材は、前記板状部における前記端部開口部側に位置する側縁から前記透光部材側に延出する第３リブ部を更に備えることが好ましい。
【０００９】
また、前記止水部材は、前記第３リブ部から前記ケーシング部材の長手方向に向かって延び前記透光部材を挟み込む挟み込み部を更に備えることが好ましい。
【発明の効果】
【００１０】
本発明によれば、簡易な構成で、透光開口部を覆うようにケーシング部材に取り付けられる透光部材とケーシング部材の端部開口部に取り付けられる端部キャップ部材との間の水密性を確保しつつ、透光部材と端部キャップ部材との間の光源部からの光漏れを抑制できる照明装置を提供することができる。
【図面の簡単な説明】
【００１１】
【図１】本発明の第１実施形態に係る照明装置６が設置された浴室１を示す斜視図である。
【図２】第１実施形態に係る照明装置６の長尺照明部６０の取付状態を示す断面図である。
【図３】第１実施形態に係る照明装置６の長尺照明部６０の取付状態を示す斜視図である。
【図４】第１実施形態に係る照明装置６の長尺照明部６０の各部材を分解した分解斜視図である。
【図５】第１実施形態の長尺照明部６０において、止水部材６５を取り付けた端部キャップ部材６４を、ケーシング部材６１及び透光部材６３に取り付ける状態を示す斜視図である。
【図６】端部キャップ部材６４を示す斜視図である。
【図７】第１実施形態の長尺照明部６０の止水部材６５をキャップ部材配置面６５１ａ側から視た斜視図である。
【図８】第１実施形態の長尺照明部６０の止水部材６５を透光部材配置面６５１ｂ側から視た斜視図である。
【図９】第１実施形態の長尺照明部６０において、止水部材６５を取り付けた端部キャップ部材６４を、ケーシング部材６１及び透光部材６３に取り付ける手順を示す断面図である。
【図１０】第２実施形態の長尺照明部６０Ａの止水部材６５Ａを透光部材配置面６５１ｂ側から視た斜視図である。
【図１１】第２実施形態の長尺照明部６０Ａにおいて、止水部材６５Ａを透光部材６３に取り付けた後に、端部キャップ部材６４を、ケーシング部材６１及び透光部材６３に取り付ける手順を示す断面図である。
【発明を実施するための形態】
【００１２】
以下、本発明の照明装置６を含む浴室１の第１実施形態について、図面を参照しながら説明する。なお、本実施形態の説明においては、洗い場パン２１及び浴槽２２が並ぶ方向を前後方向といい、浴槽２２が延びる方向を左右方向という。
【００１３】
図１に示すように、本実施形態の浴室１は、洗い場パン２１と、浴槽２２と、壁部３と、照明装置６を含んで構成される天井４と、調光操作部２３と、を備える。
洗い場パン２１及び浴槽２２は、浴室１の下部において、浴室１の前後方向に並んで配置される。浴室１の底部（洗い場パン２１及び浴槽２２が配置される部分）の形状は、平面視で、全体として長方形状である。
【００１４】
洗い場パン２１は、浴室１の下部の前方側に配置され、略水平方向に平面状に広がるように配置される。洗い場パン２１は、浴室１の洗い場を構成する。
浴槽２２は、浴室１の下部の後方側に配置される。
【００１５】
壁部３は、浴室１の４つの側面を構成する。壁部３は、一対の第１側壁３１，３１及び一対の第２側壁３２，３２により構成される。
一対の第１側壁３１，３１は、板部材により形成され、互いに対向して配置される。一対の第１側壁３１，３１は、それぞれ、浴室１の底部の左右方向に離間した前後方向に延びる端辺から、上方に立ち上がる。一対の第１側壁３１，３１は、浴室１の前後方向に延びる。
【００１６】
一対の第２側壁３２，３２は、板部材により形成され、一対の第１側壁３１，３１に直交して、互いに対向して配置される。一対の第２側壁３２，３２は、それぞれ、浴室１の底部の前後方向に離間した左右方向に延びる端辺から、上方に立ち上がる。一対の第２側壁３２，３２は、浴室１の左右方向に延びる。
【００１７】
天井４は、浴室１の天面を構成する。天井４は、２枚の天井材４１と、照明装置６と、により構成される。２枚の天井材４１，４１は、水平方向に広がる長方形の板状に形成される。２枚の天井材４１，４１は、浴室１の天部において、浴室１の前後方向に並んで配置される。
【００１８】
２枚の天井材４１，４１は、図２に示すように、鋼板部分４１１と石膏ボード部分４１２とを有する。鋼板部分４１１は、略Ｌ字形状の板材により形成された屈曲板部４１１ａと、屈曲板部４１１ａに連続して略水平に延びる載置板部４１１ｂと、を有する。石膏ボード部分４１２は、厚みを有する板状に形成され、鋼板部分４１１の載置板部４１１ｂの上部に配置される。
【００１９】
照明装置６は、天井４の一部を構成すると共に、浴室１内を照明する機能を有する。照明装置６は、一対の長尺照明部６０，６０により構成され、一対の長尺照明部６０，６０は、浴室１における一対の入隅部５０，５０に配置される。
【００２０】
一対の入隅部５０，５０は、天井４と一対の第１側壁３１，３１とにより形成される部分である。一対の入隅部５０，５０は、天井材４１の下面と第１側壁３１，３１の側面とが交差する部分の内側の隅の部分である。
【００２１】
本実施形態においては、一対の長尺照明部６０，６０は、ユニット化されており、浴室１に設置される前にユニットとして組み立てられ、取付金具６０１を介して第１側壁３１の上端部に載置されてネジ部材６０１ａよりに固定されることで、浴室１の入隅部５０に設置され、天井４となる。取付金具６０１は、浴室１の４辺のポスト（図示せず）に取り付けられた天井つなぎ材６０５にネジ部材６０１ｂにより取り付けられている。
２枚の天井材４１，４１は、一対の長尺照明部６０が入隅部５０に設置された後に、一対の長尺照明部６０に取り付けられることで、天井４となる。
【００２２】
図２を参照すると、天井４は、第１側壁３１が設置された状態において、次の手順で、浴室１の上部に設置される。
まず、ユニットとして組み立てられた一対の長尺照明部６０，６０を、それぞれ、浴室１の左右方向の一対の入隅部５０，５０において、第１側壁３１の上部に固定された略Ｃ字形状の取付金具６０１に、浴室１の前後方向に沿って挿入する。これにより、一対の長尺照明部６０，６０の第１取付板部６１６（後述）は、取付金具６０１に取り付けられる。
【００２３】
次に、２枚の天井材４１，４１を、一対の長尺照明部６０，６０に取り付ける。具体的には、天井材４１の鋼板部分４１１を、長尺照明部６０の第２取付板部６１７（後述）に固定する。そして、鋼板部分４１１の載置板部４１１ｂの上方に、石膏ボード部分４１２を配置する。これにより、２枚の天井材４１，４１は、浴室１の上部に設置される。
このようにして、一対の長尺照明部６０，６０及び２枚の天井材４１，４１は、浴室１の天井４として、浴室１に設置される。
【００２４】
次に、一対の長尺照明部６０，６０の構成について詳述する。
一対の長尺照明部６０，６０は、図１に示すように、それぞれ、浴室１の一対の入隅部５０に配置される。一対の長尺照明部６０，６０は、それぞれ、入隅部５０における天井４側に配置される。長尺照明部６０は、線状に光を照射する、いわゆる、長尺の照明を構成する。一対の長尺照明部６０．６０は、それぞれ、浴室１の前後方向に延びる。一対の長尺照明部６０，６０は、天井４の前方側の端部から後方側の端部に亘って延びる。一対の長尺照明部６０，６０は、浴室１の左右方向において対称となるように配置される。
【００２５】
一対の長尺照明部６０は、図２〜図５に示すように、それぞれ、ケーシング部材６１と、光源部６２と、透光部材６３と、端部キャップ部材６４と、止水部材６５と、を備える。
【００２６】
ケーシング部材６１は、長尺状に形成され、浴室１の前後方向に延びる。ケーシング部材６１は、本実施形態においては、光源部６２からの光を透過させる部分が開放し、かつ、長手方向Ｙの両端部が開放したケース状に形成される。
【００２７】
なお、以下の説明において、ケーシング部材６１が延びる方向を「長手方向Ｙ」という。また、ケーシング部材６１の浴室１の内部側に向く面におけるケーシング部材６１の長手方向Ｙに直交する方向を「幅方向Ｘ」という。厚さ方向Ｚは、ケーシング部材６１を浴室１の天井４に配置した場合におけるケーシング部材６１の上下方向の厚さの方向であり、長手方向Ｙ及び幅方向Ｘに直交する。厚さ方向Ｚにおいては、ケーシング部材６１を正面から視た場合における手前側を手前側といい、ケーシング部材６１を正面から視た場合における奥側を奥側という。
【００２８】
ケーシング部材６１は、図２及び図４に示すように、基板部６１１と、一対の光路形成板部６１２，６１３と、一対の開口形成板部６１４，６１５と、第１取付板部６１６と、第２取付板部６１７と、を有する。また、ケーシング部材６１は、透光開口部６１８と、一対の端部開口部６１９，６１９と、を有する。また、ケーシング部材６１は、内部において、光源部６２のＬＥＤ基板６２１が係止される一対のＬＥＤ基板係止部６１ａ，６１ａと、透光部材６３の先端係合部６３２ａが係合される一対の透光部材係合片６１ｂ，６１ｂと、を有する。
【００２９】
基板部６１１、一対の光路形成板部６１２，６１３、一対の開口形成板部６１４，６１５、第１取付板部６１６、及び第２取付板部６１７は、ケーシング部材６１の長手方向Ｙに延びる。
基板部６１１は、ケーシング部材６１の厚さ方向Ｚの奥側に配置される。基板部６１１は、所定の幅でケーシング部材６１の長手方向Ｙに延びる板状に形成される。基板部６１１の内面側には、後述する光源部６２が配置されている。
【００３０】
一対の光路形成板部６１２，６１３は、それぞれ、基板部６１１における幅方向の両端部から、立ち上がる板状に形成され、基板部６１１からケーシング部材６１の厚さ方向Ｚの奥側から手前側に延びる。一対の光路形成板部６１２，６１３は、互いが対向して配置され、略平行に延びている。一対の光路形成板部６１２，６１３の間の空間は、基板部６１１側に配置される光源部６２から照射される光の通路となる。
【００３１】
一対の開口形成板部６１４，６１５は、図２及び図４に示すように、ケーシング部材６１の厚さ方向Ｚの手前側に配置される。一対の開口形成板部６１４，６１５は、板状に形成され、一対の光路形成板部６１２，６１３に連続して形成される。一対の開口形成板部６１４，６１５は、互いが対向して配置され、略平行に延びている。一対の開口形成板部６１４，６１５の内面は、互いが対向して形成されており、透光開口部６１８を形成する。
【００３２】
透光開口部６１８は、図２及び図４に示すように、ケーシング部材６１の長手方向Ｙに延びて形成される。透光開口部６１８は、ケーシング部材６１の正面（浴室１の内部側に向く面）において、ケーシング部材６１の外側に向けて開口する開口部である。透光開口部６１８には、後述する光源部６２からの光が透過する。
【００３３】
一対の端部開口部６１９，６１９は、図２及び図４に示すように、ケーシング部材６１の長手方向Ｙの両端部に形成される。一対の端部開口部６１９，６１９は、ケーシング部材６１の長手方向Ｙの両端部の端面において、ケーシング部材６１の外側に向けて開口する開口部である。一対の端部開口部６１９，６１９は、それぞれ、透光開口部６１８に連続して形成される。
【００３４】
第１取付板部６１６は、図２及び図４に示すように、基板部６１１の一方側に連続して形成され、浴室１に設置される際に、取付金具６０１に取り付けられる。
第２取付板部６１７は、光路形成板部６１２の基板部６１１側の部分に連続して略Ｌ字形状に形成される。第２取付板部６１７は、浴室１に設置される際に、鋼板部分４１１の屈曲板部４１１ａに取り付けられる。
【００３５】
光源部６２は、図２及び図５に示すように、ケーシング部材６１の内部に配置される。光源部６２は、図４及び図５に示すように、ＬＥＤ基板６２１と、複数のＬＥＤ６２２（Ｌｉｇｈｔ  Ｅｍｉｔｔｉｎｇ  Ｄｉｏｄｅ）（発光部材）と、を有する。
【００３６】
ＬＥＤ基板６２１は、図４に示すように、ケーシング部材６１の長手方向Ｙに延びる。ＬＥＤ基板５１の上面には、複数のＬＥＤ６２２が実装されている。
複数のＬＥＤ６２２は、ＬＥＤ基板６２１の上面において、ケーシング部材６１の長手方向Ｙに沿って、所定間隔で直線状に並べられている。
【００３７】
光源部６２は、ケーシング部材６１を長手方向Ｙに視た場合に、複数のＬＥＤ６２２が、垂直方向に対して傾斜する斜め方向に光を照射する位置に配置される。
本実施形態においては、一対の光源部６２は、それぞれ、複数のＬＥＤ６２２が、一対の入隅部５０，５０における長尺照明部６０が配置される入隅部５０側の第１側壁３１とは反対側の第１側壁３１に向けて光を照射する位置に配置される。言い換えると、一対の光源部６２，６２は、入隅部５０における天井４側から、浴室１の左右方向において対称となるように、それぞれ、浴室１の左右方向の内側の斜め下方に向けて光を照射する。
【００３８】
透光部材６３は、図２、図４及び図５に示すように、ケーシング部材６１の長手方向Ｙに沿って延びるように形成される。透光部材６３は、ケーシング部材６１の透光開口部６１８を塞ぐように、ケーシング部材６１に取り付けられる。透光部材６３は、ケーシング部材６１の透光開口部６１８を塞ぐカバー部材として機能する。透光部材６３は、例えば、アクリル樹脂又はポリカーボネート樹脂などの樹脂材料で形成される。透光部材６３は、複数のＬＥＤ６２２（光源部６２）からの光を透過する。
【００３９】
透光部材６３は、図４及び図５に示すように、透光正面板６３１と、一対の取付突出部６３２，６３２と、を有する。透光正面板６３１は、板状に形成され、ケーシング部材６１の長手方向Ｙに延びる。本実施形態においては、透光正面板６３１は、外面が、天井４の下面（天面）に平行に配置される。透光正面板６３１は、複数のＬＥＤ６２２（光源部６２）からの光を透過する。
【００４０】
一対の取付突出部６３２，６３２は、図４に示すように、透光正面板６３１の長手方向Ｙに直交する方向の両端から上方側に突出するように形成される。
取付突出部６３２は、先端係合部６３２ａと、開口係止部６３２ｂと、を有する。
先端係合部６３２ａは、取付突出部６３２の先端に形成される。先端係合部６３２ａは、ケーシング部材６１に透光部材６３を取り付ける際に、ケーシング部材６１の透光部材係合片６１ｂに係合される。
開口係止部６３２ｂは、取付突出部６３２の長手方向の両端部側に形成される。開口係止部６３２ｂには、端部キャップ部材６４における取付延出係止部６４４の外方突出部６４４ａが係合される。
【００４１】
一対の端部キャップ部材６４，６４は、図４〜図６に示すように、ケーシング部材６１の両端部に配置される。一対の端部キャップ部材６４，６４は、それぞれ、ケーシング部材６１の端部開口部６１９に取り付けられる。端部キャップ部材６４は、図６に示すように、端面板部６４１と、表面板部６４２と、キャップ取付ガイド部６４３と、一対の取付延出係止部６４４，６４４と、を有する。
【００４２】
端面板部６４１は、ケーシング部材６１の端部開口部６１９を塞ぐ。端面板部６４１は、板状に形成され、ケーシング部材６１の長手方向Ｙに直交する方向（ケーシング部材６１の幅方向Ｘ及び厚さ方向Ｚに沿った面の方向）に広がる平面状に形成される。端面板部６４１には、端部キャップ部材６４とケーシング部材６１とをネジ部材１０１（図４参照）により固定するために、取付用ネジ穴６４１ａ，６４１ｂが形成されている。
【００４３】
表面板部６４２は、図２及び図３に示すように、端面板部６４１に連続して形成され端面板部６４１に略直交（交差）する方向に延びる。表面板部６４２は、透光開口部６１８における端部開口部６１９側の一部を覆うように延出する。表面板部６４２は、板状に形成され、ケーシング部材６１の長手方向Ｙ及び幅方向Ｘに沿った面の方向に広がる平面状に形成される。
【００４４】
キャップ取付ガイド部６４３は、端面板部６４１の内面から延出し表面板部６４２から離間して表面板部６４２に略平行に配置されるガイド板部６４３ａと、ガイド板部６４３ａを支持する一対の支持板部６４３ｂ，６４３ｂと、を有する。ガイド板部６４３ａは、端部キャップ部材６４がケーシング部材６１に取り付けられる際に、透光部材６３の透光正面板６３１に沿って移動される（図９参照）。ガイド板部６４３ａは、端部キャップ部材６４をケーシング部材６１に取り付けられる際に、端部キャップ部材６４の移動をガイドする。
【００４５】
一対の取付延出係止部６４４，６４４は、図６に示すように、キャップ取付ガイド部６４３におけるケーシング部材６１の幅方向Ｘの両端の外側において、端面板部６４１の内面から延びる。一対の取付延出係止部６４４，６４４は、弾性復帰力を有した状態でケーシング部材６１の幅方向Ｘの内側に変形可能である。
取付延出係止部６４４，６４４の先端には、外方突出部６４４ａ，６４４ａが形成される。外方突出部６４４ａ，６４４ａは、端部キャップ部材６４をケーシング部材６１に端に取り付けた際に、ケーシング部材６１に取り付けられた透光部材６３の開口係止部６３２ｂに係止される。
【００４６】
止水部材６５は、図２、図４及び図５に示すように、透光部材６３と端部キャップ部材６４との間に配置される。止水部材６５は、弾性変形可能に構成される。止水部材６５の材料としては、例えば、弾性変形可能なゴム材料などが挙げられる。また、止水部材６５の材料には、防菌剤や抗菌剤が含有されていてもよい。
【００４７】
止水部材６５は、図４、図５及び図８に示すように、板状部６５１と、一対の第１リブ部６５２，６５２と、第２リブ部６５３と、第３リブ部６５４と、を有する。
【００４８】
板状部６５１は、長方形形状の厚みを有する板材により形成される。板状部６５１は、図２〜図４に示すように、ケーシング部材６１の長手方向Ｙの端部において、透光部材６３と端部キャップ部材６４の表面板部６４２との間に配置される。
【００４９】
板状部６５１は、キャップ部材配置面６５１ａと、透光部材配置面６５１ｂと、を有する。キャップ部材配置面６５１ａは、板状部６５１における端部キャップ部材６４側の面である。キャップ部材配置面６５１ａには、端部キャップ部材６４の表面板部６４２が配置される。透光部材配置面６５１ｂは、板状部６５１における透光部材６３側の面である。透光部材配置面６５１ｂには、透光部材６３の透光正面板６３１が配置される。
【００５０】
一対の第１リブ部６５２，６５２は、図４、図５及び図７に示すように、それぞれ、ケーシング部材６１の長手方向Ｙに沿う側縁６５０ａから、端部キャップ部材６４の表面板部６４２側に延出する。一対の第１リブ部６５２，６５２は、それぞれ、ケーシング部材６１の長手方向Ｙに延びて形成される。
【００５１】
一対の第１リブ部６５２，６５２は、図３に示すように、それぞれ、端部キャップ部材６４の表面板部６４２におけるケーシング部材６１の長手方向Ｙに沿う側縁６４２ａの外側に配置される。詳細には、一対の第１リブ部６５２，６５２は、端部キャップ部材６４の表面板部６４２におけるケーシング部材６１の長手方向Ｙに直交する幅方向Ｘにおいて、端部キャップ部材６４の表面板部６４２とケーシング部材６１の厚さ方向Ｚの端部との間に配置される。
【００５２】
第２リブ部６５３は、図４、図５及び図７に示すように、板状部６５１における一対の第１リブ部６５２，６５２をつなぐ側縁６５０ｂから、端部キャップ部材６４の表面板部６４２側に延出する。第２リブ部６５３は、端部キャップ部材６４の表面板部６４２の延出端側に位置する側縁６４２ｂの外側に配置される。
第２リブ部６５３は、図４及び図５に示すように、板状部６５１の側縁６５０ｂにおいて、ケーシング部材６１の幅方向Ｘに沿ってケーシング部材６１の幅方向Ｘに延びて形成される。第２リブ部６５３は、板状部６５１の側縁６５０ｂの全域に亘って延びる。
【００５３】
第３リブ部６５４は、図４及び図７に示すように、板状部６５１における端部開口部６１９側に位置する側縁６５０ｃから透光部材６３側に延出する。
第３リブ部６５４は、図４及び図５に示すように、板状部６５１の側縁６５０ｃにおいて、端部キャップ部材６４の表面板部６４２におけるケーシング部材６１の幅方向Ｘに沿ってケーシング部材６１の幅方向Ｘに延びて形成される。第３リブ部６５４は、板状部６５１の側縁６５０ｃの全域に亘って延びる。
【００５４】
調光操作部２３は、図１に示すように、壁部３に配置されている。調光操作部２３は、照明装置６の調光を行うための操作部である。一対の長尺照明部６０，６０は、制御部（図示せず）に接続されており、使用者が調光操作部２３を操作することで、制御部に操作信号が送信されて、一対の長尺照明部６０，６０の光の調整を行うことができる。一対の長尺照明部６０，６０について、交互に又は同時に、徐々に暗くしたり明るくしたりすることで、浴室１内の演出効果を高めることができる。
【００５５】
次に、本実施形態の長尺照明部６０の組み立て方法について説明する。
まず、図４に示すように、ケーシング部材６１に、光源部６２及び透光部材６３を取り付ける。光源部６２及び透光部材６３を、ケーシング部材６１の側部の端部開口部６１９から、ケーシング部材６１の長手方向Ｙに沿って挿入する。
【００５６】
光源部６２は、ケーシング部材６１の厚さ方向Ｚの奥側（上方側）において、ケーシング部材６１の長手方向Ｙに沿って挿入することで、一対のＬＥＤ基板係止部６１ａ，６１ａに係止されて取り付けられる。これにより、光源部６２は、ケーシング部材６１の内部に配置される。
【００５７】
透光部材６３は、ケーシング部材６１の厚さ方向Ｚの手前側（下方側）において、ケーシング部材６１の長手方向Ｙに沿って挿入することで、先端係合部６３２ａが、ケーシング部材６１の透光部材係合片６１ｂに係合されて取り付けられる。これにより、透光部材６３は、透光開口部６１８を覆うようにケーシング部材６１に取り付けられている。
【００５８】
次に、図４及び図９に示すように、端部キャップ部材６４に、止水部材６５を取り付ける。なお、ケーシング部材６１の長手方向Ｙの両端部において、端部キャップ部材６４及び止水部材６５のケーシング部材６１への取り付け方法は同じであるため、本実施形態の取り付け方法については、ケーシング部材６１の長手方向Ｙの一方側のみ説明する。
【００５９】
まず、図９に示すように、止水部材６５の板状部６５１における第３リブ部６５４側を、端部キャップ部材６４の表面板部６４２とキャップ取付ガイド部６４３との間に挿入する。
【００６０】
ここで、図９に示すように、第３リブ部６５４の先端（上端）は、端部キャップ部材６４のキャップ取付ガイド部６４３のガイド板部６４３ａの厚さ方向Ｚの手前側の面（図９における下面）に当接する。これにより、止水部材６５が端部キャップ部材６４に取り付けられた状態において、止水部材６５は、止水部材６５がケーシング部材６１の厚さ方向Ｚへ移動しないように、安定した状態で、端部キャップ部材６４に保持される。よって、止水部材６５が端部キャップ部材６４に安定して保持された状態で、端部キャップ部材６４及び止水部材６５を、ケーシング部材６１の端部開口部６１９に取り付けることができる。
【００６１】
次に、図９に示すように、端部キャップ部材６４に止水部材６５を取り付けた状態で、端部キャップ部材６４及び止水部材６５を、ケーシング部材６１の長手方向Ｙの端部の外側から、ケーシング部材６１の端部開口部６１９に取り付ける。具体的には、端部キャップ部材６４のキャップ取付ガイド部６４３と止水部材６５の板状部６５１との間に、透光部材６３の透光正面板６３１が配置されるように、端部キャップ部材６４及び止水部材６５を、ケーシング部材６１の長手方向Ｙの端部の外側から、端部開口部６１９に移動させる。
【００６２】
これにより、図２及び図９に示すように、止水部材６５は、弾性変形して、板状部６５１が、透光部材６３と端部キャップ部材６４の表面板部６４２との間に配置される。止水部材６５の板状部６５１と端部キャップ部材６４の表面板部６４２とは、面接触で接触した状態となる。
このようにして、長尺照明部６０は、組み立てられる。
【００６３】
以上説明した本実施形態の照明装置６によれば、以下のような効果を奏する。
【００６４】
本実施形態の照明装置６は、浴室１に設けられ、透光開口部６１８及び端部開口部６１９を有する長尺状のケーシング部材６１と、ケーシング部材６１の内部に配置される光源部６２と、透光開口部６１８を覆うようにケーシング部材６１に取り付けられる透光部材６３と、端部開口部６１９を塞ぐ端面板部６４１、及び該端面板部６４１に連続して形成され透光開口部６１８における端部開口部６１９側の一部を覆うように延出する表面板部６４２を有する端部キャップ部材６４と、透光部材６３と表面板部６４２との間に配置される板状部６５１、及び該板状部６５１におけるケーシング部材６１の長手方向Ｙに沿う側縁６５０ａから表面板部６４２側に延出し該表面板部６４２におけるケーシング部材６１の長手方向Ｙに沿う側縁６４２ａの外側に配置される一対の第１リブ部６５２，６５２を有する止水部材６５と、を備える。
【００６５】
そのため、止水部材６５の板状部６５１は、弾性変形した状態で、透光部材６３と端部キャップ部材６４との間に配置される。これにより、板状部６５１と端部キャップ部材６４の表面板部６４２とは、面で接触する。従って、透光部材６３と端部キャップ部材６４の表面板部６４２との間におけるケーシング部材６１の内部への水の浸入を抑制することができる。よって、透光部材６３と端部キャップ部材６４との間の水密性を確保することができる。
【００６６】
また、長尺照明部６０においては、一対の第１リブ部６５２，６５２は、それぞれ、ケーシング部材６１の長手方向Ｙに沿う側縁６５０ａから、端部キャップ部材６４の表面板部６４２側に延出する。また、一対の第１リブ部６５２，６５２は、それぞれ、端部キャップ部材６４の表面板部６４２におけるケーシング部材６１の長手方向Ｙに沿う側縁６４２ａの外側に配置される。そのため、一対の第１リブ部６５２，６５２は、端部キャップ部材６４の表面板部６４２におけるケーシング部材６１の長手方向Ｙに沿う側縁６４２ａの外側において、止水部材６５の板状部６５１と端部キャップ部材６４の表面板部６４２との間における水の浸入を抑制することができる。よって、透光部材６３と端部キャップ部材６４との間の水密性を確保することができる。
【００６７】
また、一対の第１リブ部６５２，６５２は、端部キャップ部材６４の表面板部６４２におけるケーシング部材６１の長手方向Ｙに直交する幅方向Ｘにおいて、端部キャップ部材６４の表面板部６４２とケーシング部材６１の厚さ方向Ｚの端部との間に配置される。そのため、一対の第１リブ部６５２，６５２は、止水部材６５の板状部６５１と端部キャップ部材６４の表面板部６４２との間からの水の浸入を抑制し、かつ、止水部材６５の板状部６５１とケーシング部材６１との間からの水の浸入を抑制することができる。
【００６８】
また、一対の第１リブ部６５２，６５２は、端部キャップ部材６４の表面板部６４２におけるケーシング部材６１の長手方向Ｙに沿う側縁６４２ａの外側に配置される。そのため、端部キャップ部材６４と透光部材６３との隙間を、一対の第１リブ部６５２，６５２で塞ぐことができる。これにより、端部キャップ部材６４と透光部材６３との間の光源部６２からの光漏れを抑制することができる。
【００６９】
また、本実施形態の照明装置６においては、止水部材６５は、板状部６５１における一対の第１リブ部６５２，６５２をつなぐ側縁６５０ｂから、端部キャップ部材６４の表面板部６４２側に延出し、端部キャップ部材６４の表面板部６４２の延出端側に位置する側縁６４２ｂの外側に配置される第２リブ部６５３を備える。そのため、第２リブ部６５３は、端部キャップ部材６４の表面板部６４２の延出端側に位置する側縁６４２ｂの外側に配置されるため、止水部材６５の板状部６５１と端部キャップ部材６４の表面板部６４２との間からの水の浸入を抑制することができる。これにより、透光部材６３と端部キャップ部材６４との間の水密性を一層向上させることができる。
【００７０】
また、本実施形態の照明装置６においては、止水部材６５は、板状部６５１における端部開口部６１９側に位置する側縁６５０ｃから透光部材６３側に延出する第３リブ部６５４を有する。そのため、透光部材６３と端部キャップ部材６４の表面板部６４２との間におけるケーシング部材６１の内部への水の浸入を抑制することができる。よって、透光部材６３と端部キャップ部材６４との間の水密性を一層向上させることができる。
【００７１】
また、第３リブ部６５４は、板状部６５１における端部開口部６１９側に位置する側縁６５０ｃから透光部材６３側に延出する。そのため、第３リブ部６５４は、止水部材６５がケーシング部材６１の長手方向Ｙの内側へ移動しないように、ケーシング部材６１の長手方向Ｙの端部が当接する。これにより、ケーシング部材６１の長手方向Ｙの位置を規制することができる。
【００７２】
また、第３リブ部６５４は、板状部６５１における端部開口部６１９側に位置する側縁６５０ｃから透光部材６３側に延出する。そのため、第３リブ部６５４の先端は、端部キャップ部材６４のキャップ取付ガイド部６４３のガイド板部６４３ａの厚さ方向Ｚの手前側の面（図９における下面）に当接する。これにより、止水部材６５が端部キャップ部材６４に取り付けられた状態において、止水部材６５は、止水部材６５がケーシング部材６１の厚さ方向Ｚへ移動しないように、安定した状態で、端部キャップ部材６４に保持される。よって、止水部材６５が端部キャップ部材６４に安定して保持された状態で、端部キャップ部材６４及び止水部材６５を、ケーシング部材６１の端部開口部６１９に取り付けることができる。
【００７３】
次に、本発明の第２実施形態に係る照明装置６Ａについて説明する。第２実施形態に係る照明装置６Ａは、第１実施形態に係る照明装置６と比べて、止水部材６５Ａの構造が主に異なる。また、第２実施形態の長尺照明部６０Ａは、第１実施形態の長尺照明部６０の組み立て方法と異なる。第２実施形態の説明にあたって、第１実施形態の構成と同一の構成については同一符号を付し、その説明を省略もしくは簡略化する。
【００７４】
図１０に示すように、第２実施形態の照明装置６Ａの止水部材６５Ａは、板状部６５１と、一対の第１リブ部６５２，６５２と、第２リブ部６５３と、第３リブ部６５４と、挟み込み部６５５と、摘まみ部６５６と、を有する。
【００７５】
挟み込み部６５５は、第３リブ部６５４の先端からケーシング部材６１の長手方向Ｙの内側に向かって延びる。挟み込み部６５５は、挟み込み部６５５と板状部６５１との間に、透光部材６３の透光正面板６３１を挟み込む。
【００７６】
摘まみ部６５６は、第３リブ部６５４における長手方向Ｙの外側に突出する。摘まみ部６５６は、止水部材６５Ａを透光部材６３に取り付ける際に摘まむことができる。
【００７７】
以上のように構成される第２実施形態においては、図１１に示すように、止水部材６５Ａを透光部材６３に取り付けた後に、端部キャップ部材６４を取り付けることができる。
【００７８】
具体的には、まず、図１１に示すように、止水部材６５Ａを透光部材６３に取り付ける。この場合には、摘まみ部６５６を摘まんで、止水部材６５Ａを透光部材６３側に移動させる。そして、透光部材６３を、挟み込み部６５５と板状部６５１との間に挟み込む。これにより、止水部材６５Ａを透光部材６３に簡単に取り付けることができる。
【００７９】
次に、図１１に示すように、透光部材６３に止水部材６５Ａを取り付けた状態で、端部キャップ部材６４を、ケーシング部材６１の長手方向Ｙの端部の外側から、ケーシング部材６１の端部開口部６１９に取り付ける。具体的には、端部キャップ部材６４のキャップ取付ガイド部６４３と端部キャップ部材６４の表面板部６４２との間に、透光部材６３の透光正面板６３１を挟み込んだ止水部材６５Ａが配置されるように、端部キャップ部材６４を、ケーシング部材６１の長手方向Ｙの端部の外側から、端部開口部６１９に移動させる。
【００８０】
これにより、図１１に示すように、止水部材６５Ａは、弾性変形して、板状部６５１が、透光部材６３と端部キャップ部材６４の表面板部６４２との間に配置される。止水部材６５Ａの板状部６５１と端部キャップ部材６４の表面板部６４２とは、面接触で接触した状態となる。
このようにして、長尺照明部６０Ａは、組み立てられる。
【００８１】
第２実施形態の照明装置６Ａは、第１実施形態の照明装置６と同様の効果を有する他に、次のような効果を奏する。
第２実施形態の照明装置６Ａにおいては、止水部材６５Ａは、第３リブ部６５４からケーシング部材６１の長手方向Ｙに向かって延びると共に透光部材６３を挟み込む挟み込み部６５５を有する。これにより、透光部材６３を挟み込み部６５５と板状部６５１との間に挟み込んで、簡単に、止水部材６５Ａを透光部材６３に取り付けることができる。
また、照明装置６Ａは、摘まみ部６５６を有するため、摘まみ部６５６を摘まんだ状態で、止水部材６５Ａを簡単に移動させて、簡単に、止水部材６５Ａを透光部材６３に取り付けることができる。
【００８２】
以上、本発明の照明装置の好ましい一実施形態について説明したが、本発明は、上述した実施形態に制限されるものではなく、適宜変更が可能である。
例えば、前記第１実施形態では、第２リブ部６５３を、板状部６５１の側縁６５０ｂの全域に亘って延びるように形成したが、これに限定されない。第２リブ部６５３を、板状部６５１の側縁６５０ｂの一部に形成してもよい。
また、前記第１実施形態では、第３リブ部６５４を、板状部６５１の側縁６５０ｃの全域に亘って延びるように形成したが、これに限定されない。第３リブ部６５４を板状部６５１の側縁６５０ｃの一部に形成してもよい。
【００８３】
また、前記実施形態では、ケーシング部材６１の内部に配置される複数のＬＥＤ６２２を有する光源部６２と、透光開口部６１８を覆うようにケーシング部材６１に取り付けられる透光部材６３と、を有して構成したが、これに限定されない。例えば、透光部材として、導光部材を用いてもよい。透光部材として導光部材を用いた場合には、１つのＬＥＤからの光を導光部材により導光して、長手方向に均一に照射することができる。
【００８４】
また、第２実施形態では、止水部材６５Ａを透光部材６３に取り付けた後に、端部キャップ部材６４を取り付けたが、これに限定されない。長尺照明部６０Ａが第２実施形態の構成を備える場合においても、第１実施形態の長尺照明部６０の組み立て方法と同様に、端部キャップ部材６４に止水部材６５Ａを取り付けた後に、端部キャップ部材６４及び止水部材６５Ａを、透光部材６３及びケーシング部材６１に取り付けることもできる。
【符号の説明】
【００８５】
１  浴室
６、６Ａ  照明装置
６１  ケーシング部材
６２  光源部
６３  透光部材
６４  端部キャップ部材
６５、６５Ａ  止水部材
６１８  透光開口部
６１９  端部開口部
６４１  端面板部
６４２  表面板部
６５１  板状部
６５２  第１リブ部
６５３  第２リブ部
６５４  第３リブ部
６５５  挟み込み部
Ｙ  ケーシング部材の長手方向
【図１】
0006595307.tif 000002
【図２】
0006595307.tif 000003
【図３】
0006595307.tif 000004
【図４】
0006595307.tif 000005
【図５】
0006595307.tif 000006
【図６】
0006595307.tif 000007
【図７】
0006595307.tif 000008
【図８】
0006595307.tif 000009
【図９】
0006595307.tif 000010
【図１０】
0006595307.tif 000011
【図１１】
0006595307.tif 000012